(57)【特許請求の範囲】
【請求項１】
集合住宅の玄関に設置され、来訪者の画像を撮像するためのカメラ部（１２）を有する集合玄関機（１）と、居住者の住戸内に設置され、前記集合玄関機から送信されてくる来訪者の画像を表示するための表示部（２２）を有する複数の居室親機（２ａ、２ｂ、…）と、前記集合玄関機、前記居室親機をそれぞれ制御するための制御機（５）とを備え、
前記制御機には、前記集合住宅外からの電子メールに添付された画像データを受信するための画像受信部（４１）と、前記受信した前記集合住宅外からの電子メールに添付された画像データを保存するための録画画像保存部（４３）とを有する外部回線接続機（４）を接続し、
前記制御機は、室内に居住者が不在で、応答操作が行なわれなかった場合、前記カメラ部と前記表示部との間で形成されている画像伝送路を、前記カメラ部から、前記制御機、前記外部回線接続機の前記録画画像保存部への画像伝送路に切り替える制御機ＣＰＵ（５０）を備えることにより前記録画画像保存部を前記カメラ部にて撮像された来訪者の画像データの保存に兼用することを特徴とする集合住宅用インターホンシステム。
【請求項２】
前記外部回線接続機は、前記制御機と一体となって構成されることを特徴とする請求項１記載の集合住宅用インターホンシステム。
【請求項３】
前記外部回線接続機は、前記画像受信部が前記画像データに含まれる居室番号を受信し、前記居室親機に対して受信した画像データの着信を通知するためのＣＰＵ（４０）を有することを特徴とする請求項１または請求項２記載の集合住宅用インターホンシステム。
【請求項４】
前記外部回線接続機は、前記受信した画像データの画像形式が前記カメラからの画像形式と異なる場合に、画像形式を変換するための画像変換回路(４２)を有することを特徴とする請求項１乃至請求項３何れか１項記載の集合住宅用インターホンシステム。
【請求項５】
前記画像受信部の外部接続先がインターネットであり、前記画像データが電子メールであることを特徴とする請求項１乃至請求項４何れか１項記載の集合住宅用インターホンシステム。
【請求項６】
前記画像受信部の接続先が画像送受信機能を有する携帯電話であることを特徴とする請求項１乃至請求項４何れか１項記載の集合住宅用インターホンシステム。
【請求項７】
前記集合玄関機および前記居室親機の呼び出し、通話、画像取得要求に使用する操作部（１１、２１）は、タッチパネル（１１ａ、２１ａ）で構成されていることを特徴とする請求項１乃至請求項４何れか１項記載の集合住宅用インターホンシステム。
【発明の詳細な説明】
【０００１】
【発明の属する技術分野】
本発明は集合住宅用インターホンシステムに係り、特に、集合住宅外の外部接続先であるインターネットや画像送受信機能を有する携帯電話等からの画像データの保存／表示機能を備えた集合住宅用インターホンシステムに関する。
【０００２】
【従来の技術】
従来から、この種の集合住宅用インターホンシステムとして、図２のブロック図に示す構成の集合住宅用インターホンシステムが提案されている。
【０００３】
同図に示す集合住宅用インターホンシステムは、集合住宅の玄関（以下、集合玄関という。）に設置され、来訪者による呼出機能／通話機能、来訪者の画像の撮像機能等を有する集合玄関機１０１と、集合住宅の各住戸内に設置され個別の居室番号（詳述せず）を有しているとともに、居住者による呼出機能／通話機能、来訪者、または後述する管理人からの呼出報知機能、来訪者の画像の表示機能等を有する複数の居室親機１０２ａ、１０２ｂ、…と、集合住宅の管理室内に設置され個別の管理室番号（詳述せず）を有しているとともに、管理人による呼出機能／通話機能、来訪者、または居住者からの呼出報知機能、来訪者の画像の表示機能等を有する管理室親機１０３と、来訪者の画像の保存（録画保存）機能を有する画像保存機１０４と、玄関機接続線Ｌ101を介して接続された集合玄関機１０１、居室親機接続線Ｌ102を介してバス接続された複数の居室親機１０２ａ、１０２ｂ、…、管理室親機接続線Ｌ103を介して接続された管理室親機１０３、保存機接続線Ｌ104を介して接続された画像保存機１０４をそれぞれ制御するための制御機１０５とで構成されている。
【０００４】
このように構成された従来例の集合住宅用インターホンシステムにおいて、（集合住宅の）集合玄関に居る来訪者が、複数の居室親機１０２ａ、１０２ｂ、…がそれぞれ設置されている各住戸内の居住者および管理室親機１０３が設置されている管理室内の管理人のうち、特定の住人、ここでは、居室親機１０２ａが設置されている住戸内の居住者を呼び出すために、集合玄関機１０１にて所定の呼出操作（詳述せず）を行なうと、呼出相手先の居室番号を含む呼出信号が出力される。この呼出信号は、玄関機接続線Ｌ101、制御機１０５、居室親機接続幹線Ｌ102を介して全ての居室親機１０２ａ、１０２ｂ、…に伝送される。
【０００５】
また、各居室親機１０２ａ、１０２ｂ、…では、集合玄関機１０１からの呼出信号に含まれている居室番号と自端末に予め割り当てられている居室番号とを照合し、一致した場合にのみ、呼出報知機能として、例えば、呼出音を鳴動し、来訪者から呼び出しがある旨を報知するとともに、集合玄関機１０１から自端末との間の画像伝送路を形成する。ここでは、呼出相手先である居室親機１０２ａのみ居室番号が一致し、上述の呼出報知機能が能動となるとともに、画像伝送路が形成される。
【０００６】
さらに、集合玄関機１０１では、居室親機１０２ａの呼出報知機能が能動となるのと同時に、呼出操作を行なった来訪者の画像の撮像を開始する。この画像は、適宜、データ処理（詳述せず）された後、上述の画像伝送路を介して居室親機１０２ａに伝送されることにより、居室親機１０２ａの画像表示機能にて呼出操作を行なった来訪者の画像が表示される。
【０００７】
ここで、居室親機１０２ａでの呼出報知時において住戸内に在室中であった居住者が、居室親機１０２ａにて所定の応答操作（詳述せず）を行なうと、居室親機１０２ａの通話機能（詳述せず）と集合玄関機１０１の通話機能（詳述せず）との間の音声伝送路が形成され、この音声伝送路を介して音声信号を送受信させることにより、応答操作を行なった居住者は、来訪者の画像を確認しながら通話を成立させることができる。
【０００８】
一方、居室親機１０２ａでの呼出報知時において住戸内に居住者が不在であり、上述の応答操作が行なわれなかった場合、これを検出した制御機１０５は、集合玄関機１０１と居室親機１０２ａとの間で形成されている画像伝送路を、集合玄関機１０１から玄関機接続線Ｌ101、制御機１０５、保存機接続線Ｌ104を介して画像保存機１０４への画像伝送路に切り替えることにより、集合玄関機１０１にて撮像された来訪者の画像データが画像保存機１０４の図示しない録画画像保存部に保存（録画保存）される。また、制御機１０５は、上述の画像伝送路の切り替えと併せて、録画画像の送出先である居室親機１０２ａに予め割り当てられている居室番号を図示しないメモリに記憶するとともに、居室親機１０２ａに予め割り当てられている居室番号と不在呼出表示を行なうための制御コマンドとを含む制御信号を、上述の呼出信号と同様な経路を介して全ての居室親機１０２ａ、１０２ｂ、…に出力する。
【０００９】
また、各居室親機１０２ａ、１０２ｂ、…では、制御機１０５からの制御信号に含まれている居室番号と自端末に予め割り当てられている居室番号とを照合し、一致した場合にのみ、不在呼出表示として、不在時において来訪者から呼び出しがあった旨を表示する。ここでは、呼出相手先である居室親機１０２ａのみ居室番号が一致し、上述の不在呼出表示が行なわれる。
【００１０】
次に、住戸内を不在としていた居住者が帰宅した後、居室親機１０２ａの不在呼出表示に基づき、不在時において来訪者から呼び出しがあったことを確認し、この後、居室親機１０２ａにて所定の画像取得要求操作（詳述せず）を行なうと、その旨の画像取得要求信号が、居室親機接続幹線Ｌ102を介して制御機１０５に出力される。
【００１１】
また、制御機１０５では、居室親機１０２ａからの画像取得要求信号を検出すると、保存機接続線Ｌ104を介して接続された画像保存機１０４の図示しない録画画像保存部に予め保存（録画保存）されていた来訪者の画像データを読み出し、この画像データに図示しないメモリに予め記憶されていた居室番号を付加した画像信号を、上述の呼出信号、制御信号と同様な経路を介して全ての居室親機１０２ａ、１０２ｂ、…に出力する。
【００１２】
さらに、各居室親機１０２ａ、１０２ｂ、…では、制御機１０５からの画像信号に含まれている居室番号と自端末に予め割り当てられている居室番号とを照合し、一致した場合にのみ、不在時に呼出操作を行なった来訪者の画像が表示される。ここでは、画像取得要求元である居室親機１０２ａのみ居室番号が一致し、上述の画像が表示される。
【００１３】
【発明が解決しようとする課題】
しかしながら、従来例の集合住宅用インターホンシステムにおいて、画像保存機１０４の図示しない録画画像保存部は、呼出報知時において住戸内に居住者が不在であり、応答操作が行なわれなかった場合に集合玄関機１０１にて撮像された来訪者の画像データを保存するのみに使用され、他の用途に使用できない難点があり、制御機１０５においても、図示しないメモリの使用方法は、録画画像の送出先を記憶するのみに使用され、他の用途に使用できない難点があった。
【００１４】
また、近年、集合住宅外の外部接続先であるインターネットや画像送受信機能を有する携帯電話を使用したデジタル通信網の発達により、画像データを添付した電子メールが多々流通するようになっている、一方、これらの受信手段を持たない住戸内の居住者や管理室内の管理人にとっては、テレビやインターホン等の画像表示装置を利用して電子メールに添付された画像データを再生する手段を用いることが好適とされるが、当該画像表示装置単体では再生できず、高価な変換用インターフェースが必要となるため、再生用の各種機器を各住戸内や管理室内に設置することはコストがかかり困難であった。
【００１５】
本発明は、上述の難点を解消するためになされたもので、呼出操作を行なった来訪者の画像データのみならず集合住宅外の外部接続先からの電子メールに添付された画像データの保存機能（録画保存機能）および当該画像データの再生機能を安価なシステムで構築することができる集合住宅用インターホンシステムを提供することを目的としている。
【００１６】
【課題を解決するための手段】
上述の目的を達成するため、本発明の集合住宅用インターホンシステムは、集合住宅の玄関に設置され、来訪者の画像を撮像するためのカメラ部を有する集合玄関機と、居住者の住戸内に設置され、集合玄関機から送信されてくる画像を表示するための表示部を有する複数の居室親機と、集合玄関機、居室親機をそれぞれ制御するための制御機とを備え、制御機には、集合住宅外からの画像データを受信するための画像受信部と、受信した画像データを保存するための録画画像保存部とを有する外部回線接続機を接続し、制御機は、室内に居住者が不在で、応答操作が行なわれなかった場合、カメラ部と表示部との間で形成されている画像伝送路を、カメラ部から、制御機、外部回線接続機の録画画像保存部への画像伝送路に切り替える制御機ＣＰＵを備えることにより録画画像保存部をカメラ部にて撮像された来訪者の画像データの保存に兼用するものである。
【００１７】
このような集合住宅用インターホンシステムによれば、集合玄関機、複数の居室親機をそれぞれ接続する制御機に接続される外部回線接続機の画像受信部にて集合住宅外からの画像データを受信でき、この画像データは、録画画像保存部に保存（録画保存）することができる。
【００１８】
また、本発明の集合住宅用インターホンシステムにおいて、外部回線接続機は、制御機と一体となって構成される。
【００１９】
このような集合住宅用インターホンシステムによれば、外部回線接続機と制御機とが一体的に構成できることにより、配線の省線化が図れる。
【００２０】
また、本発明の集合住宅用インターホンシステムにおいて、外部回線接続機は、画像受信部が画像データに含まれる居室番号を受信し、居室親機に対して受信した画像データの着信を通知するためのＣＰＵを有する。
【００２１】
このような集合住宅用インターホンシステムによれば、外部回線接続機のＣＰＵの制御により、画像受信部にて受信された画像データの着信がある旨を、当該画像データに含まれている居室番号に該当した居室親機にて行なうことができる。
【００２２】
また、本発明の集合住宅用インターホンシステムにおいて、外部回線接続機は、受信した画像データの画像形式がカメラ部からの画像形式と異なる場合に、画像形式を変換するための画像変換回路を有する。
【００２３】
このような集合住宅用インターホンシステムによれば、集合玄関機のカメラ部にて撮像される画像データの画像形式と外部回線接続機の画像受信部にて受信された画像データの画像形式とが異なる画像形式の場合には、画像変換回路の制御により、集合玄関機のカメラ部にて撮像される画像データの画像形式に変換することができる。
【００２４】
また、本発明の集合住宅用インターホンシステムは、画像受信部の外部接続先がインターネットであり、画像データが電子メールである。
【００２５】
このような集合住宅用インターホンシステムによれば、外部回線接続機の画像受信部にて受信される画像データは、外部接続先であるインターネットからの電子メールに添付された画像データとすることができる。
【００２６】
また、本発明の集合住宅用インターホンシステムは、画像受信部の接続先が画像送受信機能を有する携帯電話である。
【００２７】
このような集合住宅用インターホンシステムによれば、外部回線接続機の画像受信部にて受信される画像データは、外部接続先である画像送受信機能を有する携帯電話からの（電子メールに添付された）画像データとすることができる。
【００２８】
また、本発明の集合住宅用インターホンシステムにおいて、集合玄関機および居室親機の呼び出し、通話、画像取得要求に使用する操作部は、タッチパネルで構成されている。
【００２９】
このような集合住宅用インターホンシステムによれば、来訪者により呼び出しのために使用される集合玄関機の操作部および居住者により呼び出し、通話、画像取得要求のために使用される居室親機の操作部を、タッチパネルで構成することにより操作性が向上される。
【００３０】
【発明の実施の形態】
以下、本発明の集合住宅用インターホンシステムを適用した好ましい形態の実施例について、図面を参照して説明する。
【００３１】
図１は、本発明の一実施例による集合住宅用インターホンシステムの構成を示すブロック図であり、集合住宅の玄関（以下、集合玄関という。）に設置される集合玄関機１と、集合住宅の各住戸、ここでは、１０１号室内、１０２号室内にそれぞれ設置され個別の居室番号「１０１」、「１０２」、…を有する複数の居室親機２ａ、２ｂ、…と、集合住宅の管理室内に設置され個別の管理室番号（詳述せず）を有する管理室親機３と、集合住宅外の外部接続先であるインターネットや画像送受信機能を有する携帯電話との間でデータ通信が可能な外部回線接続機４と、玄関機接続線Ｌ1を介して接続された集合玄関機１、居室親機接続線Ｌ2を介してバス接続された複数の居室親機２ａ、２ｂ、…、管理室親機接続線Ｌ3を介して接続された管理室親機３、一体となって構成される外部回線接続機４をそれぞれ制御するための制御機５とで構成されている。
【００３２】
また、同図に示す集合玄関機１は、当該集合玄関機の構成各部（回路）を制御するための制御回路（以下、玄関機ＣＰＵという。）１０と、集合玄関に居る来訪者が、複数の居室親機２ａ、２ｂ、…がそれぞれ設置されている各住戸内の居住者および管理室親機３が設置されている管理室内の管理人のうち、特定の住人を呼び出すための所定の呼出操作を行なう操作部１１と、呼出操作を行なった来訪者の画像を撮像するためのカメラ部１２と、カメラ部１２にて撮像された画像を所定の画像形式、例えば、ＪＰＥＧ形式に圧縮させた画像データに変換するための画像変換回路１３と、操作部１１の操作情報等を表示するための表示部１４と、呼出操作を行なった来訪者が呼出相手先の人物（居住者、または管理人）との間で通話を成立させるために使用する通話部１５と、玄関機ＣＰＵ１０と親機接続線Ｌ1を介して制御機５の後述する通信回路５２との間の信号伝送路を形成するための通信回路１６とが備えられている。なお、集合玄関機１の操作部１１は、タッチパネル１１ａで構成されている。
【００３３】
また、同図に示す複数の居室親機２ａ、２ｂ、…は、それぞれ同様な構成であり、当該居室親機の構成各部（回路）を制御するための制御回路（以下、居室親機ＣＰＵという。）２０と、住戸内の居住者が管理室内の管理人を呼び出して通話を成立させるための所定の呼出操作／通話操作、管理人、または集合玄関に居る来訪者から呼び出された居住者が通話を成立させるための所定の応答操作、外部回線接続機４の後述する録画画像保存部４３に予め保存（録画保存）されていた画像（画像データ）を取得するための所定の画像取得要求操作を行なう操作部２１と、操作部２１の操作情報、集合玄関機１のカメラ部１２にて撮像された来訪者の画像、上述の画像取得要求操作により取得された画像等を表示するための表示部２２と、（圧縮されている）ＪＰＥＧ形式の画像データを解凍処理した後、表示部２２に表示させるための画像表示回路２３と、来訪者、または管理人から呼び出しがある旨、インターネットや画像送受信機能を有する携帯電話からの画像データを含む電子メールの着信がある旨の呼出音信号をそれぞれ生成するための音声合成回路２４と、音声合成回路２４にて生成された呼出音信号を増幅するためのアンプ２５と、アンプ２５を介して増幅された呼出音信号を適宜、信号処理した後、呼出音を鳴動するためのスピーカ２６と、応答操作を行なった居住者が呼出元の人物（来訪者、または管理人）との間で通話を成立させる、または呼出操作を行なった居住者が呼出相手先の管理人との間で通話を成立させるために使用する通話部２７と、居室親機ＣＰＵ２０と居室親機接続幹線Ｌ2を介して制御機５の後述する通信回路５３との間の信号伝送路を形成するための通信回路２８とが備えられている。なお、各居室親機２ａ、２ｂ、…の操作部２１は、タッチパネル２１ａで構成されている。
【００３４】
また、同図に示す管理室親機３は、当該管理室親機の構成各部（回路）を制御するための制御回路（以下、管理室親機ＣＰＵという。）３０と、管理室内の管理人が特定の住戸内の居住者を呼び出して通話を成立させるための所定の呼出操作／通話、居住者、または集合玄関に居る来訪者から呼び出された管理人が通話を成立させるための所定の応答操作、外部回線接続機４の録画画像保存部４３に予め保存（録画保存）されていた画像（画像データ）を取得するための所定の画像取得要求操作を行なう操作部３１と、操作部３１の操作情報、集合玄関機１のカメラ部１２にて撮像された来訪者の画像、上述の画像取得要求操作により取得された画像等を表示するための表示部３２と、（圧縮されている）ＪＰＥＧ形式の画像データを解凍処理した後、表示部３２に表示させるための画像表示回路３３と、来訪者、または居住者から呼び出しがある旨、インターネットや画像送受信機能を有する携帯電話からの画像データを含む電子メールの着信がある旨の呼出音信号をそれぞれ生成するための音声合成回路３４と、音声合成回路３４にて生成された呼出音信号を増幅するためのアンプ３５と、アンプ３５を介して増幅された呼出音信号を適宜、信号処理した後、呼出音を鳴動するためのスピーカ３６と、応答操作を行なった管理人が呼出元の人物（来訪者、または居住者）との間で通話を成立させる、または呼出操作を行なった管理人が呼出相手先の居住者との間で通話を成立させるために使用する通話部３７と、管理室親機ＣＰＵ３０と管理室親機接続線Ｌ3を介して制御機５の後述する通信回路５４との間の信号伝送路を形成するための通信回路３８とが備えられている。なお、管理室親機３の操作部３１は、タッチパネル３１ａで構成されている。
【００３５】
また、同図に示す外部回線接続機４は、当該外部回線接続機の構成各部（回路）を制御するための制御回路（以下、接続機ＣＰＵという。）４０と、インターネットや画像送受信機能を有する携帯電話からの電子メールに添付されている画像データを受信するための画像受信部４１と、画像受信部４１にて受信された電子メールに添付されている画像データの画像形式が集合玄関機１のカメラ部１２にて撮像され画像データの画像形式、例えば、ＪＰＥＧ形式と異なっている場合には、同一の画像形式に変換するための画像変換回路４２と、画像変換回路４２を介した画像データ、または集合玄関機１のカメラ部１２にて撮像された画像データを保存（録画保存）するための録画画像保存部４３と、接続機ＣＰＵ４０と当該外部回線接続機に一体となって構成されている制御機５の後述する通信回路５５との間の信号伝送路を形成するための通信回路４４とが備えられており、接続機ＣＰＵ４０は、画像受信部４１にて受信された電子メールに含まれている居室番号を受信し、この居室番号に該当した住戸内に設置されている居室親機に対して画像データの着信を通知するための機能を有する。
【００３６】
さらに、同図に示す制御機５は、当該制御機の構成各部（回路）を制御するための制御回路（以下、制御機ＣＰＵという。）５０と、外部回線接続機４の録画画像保存部４３に予め保存（録画保存）されている録画画像の送出先が記憶されるメモリ５１と、制御機ＣＰＵ５０と親機接続線Ｌ1を介して集合玄関機の通信回路１６との間の信号伝送路を形成するための通信回路５２と、制御機ＣＰＵ５０と居室親機接続幹線Ｌ2を介して各居室親機２ａ、２ｂ、…の通信回路２８との間の信号伝送路を形成するための通信回路５３と、制御機ＣＰＵ５０と管理室親機接続線Ｌ3を介して管理室親機３の通信回路３８との間の信号伝送路を形成するための通信回路５４と、制御機ＣＰＵ５０と当該制御機に一体的となって構成されている外部回線接続機４の通信回路４４との間の信号伝送路を形成するための通信回路５５とが備えられている。
【００３７】
このように構成された本発明の一実施例による集合住宅用インターホンシステムにおいて、以下、具体的な動作を説明する。
【００３８】
先ず、本発明の第１の動作として、（集合住宅の）集合玄関に居る来訪者が、複数の居室親機２ａ、２ｂ、…がそれぞれ設置されている各住戸内の居住者および管理室親機３が設置されている管理室内の管理人のうち、特定の住人を呼び出して通話を成立させるための動作、ここでは、居室親機２ａが設置されている住戸内、すなわち、１０１号室内の居住者を呼び出して通話を成立させるための動作について説明する。なお、上述の来訪者が管理人を呼び出して通話を成立させるための動作、居住者が管理人を呼び出して通話を成立させるための動作、管理人が（特定の）居住者を呼び出して通話を成立させるための動作についての説明は、それぞれ省略する。
【００３９】
図１のブロック図において、（集合住宅の）集合玄関に居る来訪者が、居室親機２ａが設置されている１０１号室内の居住者を呼び出すために、先ず、集合玄関機１の操作部１１を構成するタッチパネル１１ａを操作して呼出相手先の居室番号「１０１」を入力すると、玄関機ＣＰＵ１０の制御により、入力された居室番号「１０１」が表示部１４に表示される。この後、集合玄関機１の表示部１４に表示された居室番号「１０１」を確認した来訪者が、操作部１１を構成するタッチパネル１１ａを操作して呼び出しを起動（詳述せず）させると、居室番号「１０１」を含む呼出信号が玄関機ＣＰＵ１０から出力される。この呼出信号は、通信回路１６、玄関機接続線Ｌ1、制御機５の通信回路５２、制御機ＣＰＵ５０、通信回路５３、居室親機接続幹線Ｌ2、全ての居室親機２ａ、２ｂ、…の通信回路２８を介して居室親機ＣＰＵ２０にそれぞれ伝送される。
【００４０】
また、各居室親機２ａ、２ｂ、…の居室親機ＣＰＵ２０では、集合玄関機１からの呼出信号に含まれている居室番号「１０１」と自端末に予め割り当てられている居室番号とを照合し、一致した場合にのみ、音声合成回路２４を制御して呼出音信号を生成させるとともに、集合玄関機１のカメラ部１２から画像変換回路１３、玄関機ＣＰＵ１０、通信回路１６、玄関機接続線Ｌ1、制御機５の通信回路５２、制御機ＣＰＵ５０、通信回路５３、居室親機接続幹線Ｌ2、居室親機２ａの通信回路２８、居室親機ＣＰＵ２０、画像表示回路２３を介して表示部２２までの画像伝送路を形成する。ここでは、呼出相手先である居室親機２ａのみ居室番号が「１０１」で一致し、音声合成回路２４にて呼出音信号が生成されることにより、この呼出音信号は、アンプ２５を介して増幅された後、スピーカ２６より来訪者から呼び出しがある旨を示す呼出音として鳴動されるとともに、上述の画像伝送路が形成される。
【００４１】
さらに、集合玄関機１のカメラ部１２では、居室親機２ａのスピーカ２６からの呼出音の鳴動が開始するのと同時に、呼出操作を行なった来訪者の画像の撮像を開始する。この画像は、画像変換回路１３にて所定の画像形式、例えば、ＪＰＥＧ形式の画像データに圧縮処理され、上述の画像伝送路を介して居室親機２ａの画像表示回路２３に伝送される。居室親機２ａの画像表示回路２３は、集合玄関機１からの画像データを解凍処理することにより、表示部２２には、呼出操作を行なった来訪者の画像が表示される。
【００４２】
ここで、居室親機２ａでの上述の呼出報知時において住戸内に在室中であった居住者、すなわち、１０１号室内に在室中の居住者が、居室親機２ａの操作部２１を構成するタッチパネル２１ａを操作して所定の応答操作（詳述せず）を行なうと、この操作を検出した居室親機ＣＰＵ２０の制御により、居室親機２ａの通話部２７と当該居室親機ＣＰＵ、通信回路２８、居室親機接続幹線Ｌ2、制御機５の通信回路５３、制御機ＣＰＵ５０、通信回路５２、玄関機接続線Ｌ1、集合玄関機１の通信回路１６、玄関機ＣＰＵ１０を介して通話部１５との間の音声伝送路が形成され、形成された音声伝送路を介して音声信号を送受信させることにより、応答操作を行なった１０１号室内に在室中の居住者は、来訪者の画像を確認しながら通話を成立させることができる。
【００４３】
一方、居室親機２ａでの呼出報知時において１０１号室内に居住者が不在であり、上述の応答操作が行なわれなかった場合、これを検出した制御機５の制御機ＣＰＵ５０は、集合玄関機１のカメラ部１２と居室親機２ａの表示部２２との間で形成されている上述の画像伝送路を、集合玄関機１のカメラ部１２から画像変換回路１３、玄関機ＣＰＵ１０、通信回路１６、玄関機接続線Ｌ1、制御機５の通信回路５２、制御機ＣＰＵ５０、通信回路５５、外部回線接続機４の通信回路４４、接続機ＣＰＵ４０を介して録画画像保存部４３への画像伝送路に切り替えることにより、集合玄関機１のカメラ部１２にて撮像された来訪者の画像データが外部回線接続機４の録画画像保存部４３に保存（録画保存）される。また、制御機５の制御機ＣＰＵ５０は、上述の画像伝送路の切り替えと併せて、録画画像の送出先である居室親機２ａに予め割り当てられている居室番号「１０１」をメモリ５１に記憶するとともに、居室親機２ａに予め割り当てられている居室番号「１０１」と不在呼出表示を行なうための制御コマンドとを含む制御信号を、上述の呼出信号を同様な経路を介して全ての居室親機２ａ、２ｂ、…の居室親機ＣＰＵ２０にそれぞれ出力する。
【００４４】
また、各居室親機２ａ、２ｂ、…の居室親機ＣＰＵ２０では、制御機５からの制御信号に含まれている居室番号と自端末に予め割り当てられている居室番号とを照合し、一致した場合にのみ、不在呼出表示として、不在時において来訪者から呼び出しがあった旨を表示部２２に表示する。ここでは、呼出相手先である居室親機２ａのみ居室番号が「１０１」で一致し、上述の不在呼出表示が行なわれる。
【００４５】
次に、住戸内を不在としていた１０１号室の居住者が帰宅した後、居室親機２ａの表示部２２での不在呼出表示に基づき、不在時において来訪者から呼び出しがあったことを確認し、この後、居室親機２ａの操作部２１を構成するタッチパネル２１ａを操作して所定の画像取得要求操作（詳述せず）を行なうと、その旨の画像取得要求信号が居室親機ＣＰＵ２０から出力される。この画像取得要求信号は、通信回路２８、居室親機接続幹線Ｌ2、制御機５の通信回路５３を介して制御機ＣＰＵ５０に伝送される。
【００４６】
また、制御機５の制御機ＣＰＵ５０は、居室親機２ａからの画像取得要求信号を検出すると、通信回路５５、外部回線接続機４の通信回路４４を介して接続機ＣＰＵ４０を制御し、録画画像保存部４３に予め保存（録画保存）されていた来訪者の画像データを読み出し、この画像データにメモリ５１に予め記憶されていた居室番号「１０１」を付加した画像信号を、上述の呼出信号、制御信号と同様な経路を介して全ての居室親機２ａ、２ｂ、…の居室親機ＣＰＵ２０にそれぞれ出力する。
【００４７】
さらに、各居室親機２ａ、２ｂ、…の居室親機ＣＰＵ２０では、制御機５からの画像信号に含まれている居室番号と自端末に予め割り当てられている居室番号とを照合し、一致した場合にのみ、外部回線接続機４の録画画像保存部４３より取得された画像データを画像表示回路２３にて解凍処理させる。ここでは、画像取得要求元である居室親機２ａのみ居室番号が「１０１」で一致し、画像表示回路２３にて上述の解凍処理が行なわれることにより、不在時に呼出操作を行なった来訪者の画像が表示部２２に表示される。
【００４８】
次に、本発明の第２の動作として、集合住宅内に居住する住人、または住人の知人、ここでは、居室親機２ａが設置されている１０１号室の居住者の知人が、当該１０１号室の居住者に対する画像データが添付された電子メールを送信する場合の動作について説明する。
【００４９】
図１のブロック図において、居室親機２ａが設置されている１０１号室の居住者の知人が、画像メールが添付されており、メール送信先である住戸の居室番号「１０１」を含む電子メールを、集合住宅外の外部接続先であるインターネットや画像送受信機能を有する携帯電話より送信すると、この電子メールは、外部回線接続機４の画像受信部４１を介して接続機ＣＰＵ４０に伝送される。
【００５０】
また、外部回線接続機４の接続機ＣＰＵ４０では、画像受信部４１にて受信された電子メールに添付されている画像データおよび居室番号「１０１」を検出し、画像データを解析できなかった場合や居室番号を特定できなかった場合には、受信した電子メールを差出人、すなわち、居室親機２ａが設置されている１０１号室の居住者の知人に対して返送する。一方、画像データを解析でき、居室番号を特定できた場合には、電子メールに添付されている画像データの画像形式が集合玄関機１のカメラ部１２にて撮像される画像データの画像形式、ここでは、ＪＰＥＧ形式と同一であるか否かを判別し、当該画像形式が同一であると判別された場合には、電子メールに添付されている画像データを録画画像保存部４３に保存（録画保存）させる、一方、当該画像形式が異なる、例えば、電子メールに添付されている画像データの画像形式がＧＩＦ形式やＰＮＧ形式等であると判別された場合には、この画像形式をＪＰＥＧ形式に変換した後、変換させた画像データを録画画像保存部４３に保存（録画保存）させる。
【００５１】
また、外部回線接続機４の接続機ＣＰＵ４０は、上述のような画像データの録画画像保存部４３に保存（録画保存）させた後、当該画像データの送信先である居室番号「１０１」、受信時刻等の受信データ情報を含むメール着信信号を出力する。このメール着信信号は、通信回路４４、制御機５の通信回路５５を介して制御機ＣＰＵ５０に伝送される。
【００５２】
また、制御機５の制御機ＣＰＵ５０は、外部回線接続機４からのメール着信信号に含まれている受信データ情報をメモリ５１に保存するとともに、このメール着信信号を、通信回路５３、居室親機接続幹線Ｌ2、全ての居室親機２ａ、２ｂ、…の通信回路２８を介して居室親機ＣＰＵ２０にそれぞれ出力する。
【００５３】
さらに、各居室親機２ａ、２ｂ、…の居室親機ＣＰＵ２０では、制御機５を介した外部回線接続機４からのメール着信信号に含まれている受信データ情報をなす居室番号「１０１」と自端末に予め割り当てられている居室番号とを照合し、一致した場合にのみ、音声合成回路２４を制御して呼出音信号を生成させるとともに、当該受信データ情報をなす受信時刻等を参照して、インターネットや画像送受信機能を有する携帯電話より送信された電子メールに添付されていた画像データの受信がある旨を受信時刻等と併せて表示部２２に表示（以下、画像受信表示という。）する。ここでは、メール送信先である居室親機２ａのみ居室番号が「１０１」一致し、音声合成回路２４にて呼出音信号が生成されることにより、この呼出音信号は、アンプ２５を介して増幅され、スピーカ２６よりインターネットや画像送受信機能を有する携帯電話より送信された電子メールに添付されている画像データの受信がある旨の呼出音を鳴動させるとともに、表示部２２にて上述の画像受信表示が行なわれる。
【００５４】
ここで、居室親機２ａでの画像受信報知／表示時において住戸内に在室中であった１０１号室の居住者が、居室親機２ａの操作部２１を構成するタッチパネル２１ａを操作して所定の画像取得要求操作（詳述せず）を行なうと、その旨の画像取得要求信号が、通信回路２８、居室親機接続幹線Ｌ2、制御機５の通信回路５３を介して制御機ＣＰＵ５０に伝送される。
【００５５】
また、制御機５の制御機ＣＰＵ５０は、居室親機２ａからの画像取得要求信号を検出すると、通信回路５５、外部回線接続機４０の通信回路４４を介して接続機ＣＰＵ４０を制御し、録画画像保存部４３に予め保存（録画保存）されていた画像データを読み出し、この画像データにメモリ５１に予め記憶されていた居室番号「１０１」を付加した画像信号を、上述の呼出信号、制御信号と同様な経路を介して全ての居室親機２ａ、２ｂ、…の居室親機ＣＰＵ２０にそれぞれ出力する。
【００５６】
さらに、各居室親機２ａ、２ｂ、…の居室親機ＣＰＵ２０では、制御機５からの画像信号に含まれている居室番号と自端末に予め割り当てられている居室番号とを照合し、一致した場合にのみ、外部回線接続機４の録画画像保存部４３より取得された画像データ、すなわち、インターネットや画像送受信機能を有する携帯電話より送信された電子メールに添付されており、外部回線接続機４の画像変換回路４２を介して変換されたＪＰＥＧ形式の画像データ、または画像変換回路４２を介する変換が不要とされたＪＰＥＧ形式の画像データを画像表示回路２３にて解凍処理させる。ここでは、画像取得要求元である居室親機２ａのみ居室番号が「１０１」で一致し、画像表示回路２３にて上述の解凍処理が行なわれることにより、インターネットや画像送受信機能を有する携帯電話より送信された電子メールに添付されている画像データが表示部２２に表示される。
【００５７】
また、上述の本発明の第２の動作では、集合住宅外の外部接続先であるインターネットや画像送受信機能を有する携帯電話より送信される電子メーから送信先の住戸を指定／認識する方法として、メール送信先である住戸の居室番号「１０１」を適用させたが、この方法は限定されず、居室親機２ａ、２ｂ、…毎に予め設定されていたメールアドレスにて指定／認識させる方法、電子メールのファイル名に居室番号を含めて指定／認識させる方法等、多種／多様な指定／認識方法も好適とされる。
【００５８】
なお、本発明の一実施例による集合住宅用インターホンシステムでは、集合住宅内に管理室が設けられている場合、すなわち、当該集合住宅用インターホンシステムの構成部として管理室親機３が備えられている場合について説明したが、集合住宅内に管理室が設けられていない場合として管理室親機３が不備とされる集合住宅用インターホンシステムも好適とされ、本発明の一実施例と同様な効果を奏する。
【００５９】
【発明の効果】
以上の説明から明らかなように、本発明の集合住宅用インターホンシステムによれば、集合住宅外の外部接続先であるインターネットや画像送受信機能を有する携帯電話より送信された電子メールに添付されている画像データおよび居室番号のうち、居室番号を制御機のメモリに記憶させ、この居室番号に該当した住戸内に設置されている居室親機にて画像受信報知／表示できるばかりでなく、この画像データの画像形式を集合玄関機のカメラ部にて撮像された画像データの画像形式と同一の画像形式で外部回線接続機の録画画像保存部に保存（録画保存）およびメール送信先の居室親機にて画像データを表示できることにより、外部回線接続機の録画画像保存部を、集合玄関機のカメラ部にて撮像された来訪者の画像データの保存（録画保存）のみならず電子メールに添付されている画像データの保存（録画保存）にも使用でき使用用途が増えるとともに、制御機のメモリについても、集合玄関機のカメラ部にて撮像された録画画像データの送出元とされる居室番号のみならずインターネットや画像送受信機能を有する携帯電話からの電子メールの送信先の居室番号と異なる使用の居室番号を記憶でき使用用途が増える。
【００６０】
また、本発明の集合住宅用インターホンシステムによれば、外部回線接続機と制御機とが一体的に構成できることにより、配線の省線化が図れる。
【００６１】
また、本発明の集合住宅用インターホンシステムによれば、集合玄関機にて呼出操作を行なう場合、（集合住宅の）集合玄関に居る来訪者は、集合玄関機の操作部を構成するタッチパネルを操作すればよく操作性が向上される。
【００６２】
さらに、本発明の集合住宅用インターホンシステムによれば、呼出相手先、またはメール着信先である居室親機にて通話成立のための応答操作や画像取得要求操作を行なう場合、住戸内の居住者は、居室親機の操作部を構成するタッチパネルを操作すればよく、操作性が向上される。
【図面の簡単な説明】
【図１】  本発明の一実施例による集合住宅用インターホンシステムの構成を示すブロック図である。
【図２】  従来例の集合住宅用インターホンシステムの構成を示すブロック図である。
【符号の説明】
１‥‥‥集合玄関機
２ａ、２ｂ、… ‥‥‥居室親機
４‥‥‥外部回線接続機
５‥‥‥制御機
１１‥‥‥（集合玄関機の）操作部
１１ａ‥‥‥（集合玄関機の操作部を構成する）タッチパネル
１２‥‥‥カメラ部
２１‥‥‥（居室親機の）操作部
２１ａ‥‥‥（居室親機の操作部を構成する）タッチパネル
２２‥‥‥表示部
４０‥‥‥ＣＰＵ
４１‥‥‥画像受信部
４２‥‥‥画像変換回路
４３‥‥‥録画画像保存部
５０‥‥‥制御機ＣＰＵ
【図１】
0003881277.tif 000002
【図２】
0003881277.tif 000003